(57)【要約】【課題】コンクリートや石等の表面が硬くて凹凸がある物体に対して筆記した場合でも、ペン先の磨耗や目詰まりや変形が生じにくく、長時間に亘って安定した質感の良好な筆記を行うことができ、しかも容易に且つ安価に製造することが可能である筆記具用ペン先を提供すること。【解決手段】複数本の金属製線材が束ねられて筆記圧により変形しない剛性を有しているとともに、前記線材の全てがインキ供給部に挿入されて該線材同士の隙間がインキ供給路として作用することを特徴とする筆記具用ペン先とする。【選択図】図１
2008273069.tif 000002
【特許請求の範囲】
【請求項１】
複数本の金属製線材が束ねられて筆記圧により変形しない剛性を有しているとともに、前記線材の全てがインキ供給部に挿入されて該線材同士の隙間がインキ供給路として作用することを特徴とする筆記具用ペン先。
【請求項２】
線材の直径が０．２ｍｍ以上であることを特徴とする請求項１記載の筆記具用ペン先。
【請求項３】
線材の先端が略半球面状であることを特徴とする請求項１又は２記載の筆記具用ペン先。
【請求項４】
太さの異なる線材を含んでいることを特徴とする請求項１乃至３いずれかに記載の筆記具用ペン先。
【請求項５】
線材の外周面に凹部が形成されていることを特徴とする請求項１乃至４いずれかに記載の筆記具用ペン先。
【請求項６】
前記凹部が、線材の外周方向に沿って延びるように形成されていることを特徴とする請求項５記載の筆記具用ペン先。
【請求項７】
前記凹部が、線材の長さ方向に沿って延びるように形成されていることを特徴とする請求項５記載の筆記具用ペン先。
【請求項８】
線材が、長さ方向の先端部分に径小部を有することを特徴とする請求項１乃至４いずれかに記載の筆記具用ペン先。
【請求項９】
一部又は全部の線材が中空筒状であることを特徴とする請求項１乃至４いずれかに記載の筆記具用ペン先。
【請求項１０】
隣接する線材同士が外周面の共通接線部分のみにて溶着されていることを特徴とする請求項１乃至９いずれかに記載の筆記具用ペン先。
【請求項１１】
線材同士が環状部材により束ねられていることを特徴とする請求項１乃至１０いずれかに記載の筆記具用ペン先。
【発明の詳細な説明】
【技術分野】
【０００１】
本発明は筆記具用ペン先に関し、より詳しくは、コンクリートや石等の表面が硬くて凹凸がある物体に対して筆記した場合でもペン先の磨耗や目詰まりが生じにくい筆記具用ペン先に関する。
【背景技術】
【０００２】
予め充填されたインキをペン先へと導いて筆記することができる筆記具（フエルトペン、サインペン、マーカーペン、マジックペン等と呼ばれている。）は、使用の簡便さのために幅広い分野で使用されている。
【０００３】
このような従来の筆記具のペン先は、フエルト等の比較的軟らかい材料から形成されているため、耐久性が低く、長時間使用すると変形して、書いた線がかすれたり太さが変化したりしていた。
特に、コンクリートや石等の表面が硬くて凹凸がある物体に対して筆記した場合には、この欠点は顕著となり、短時間で磨耗したり目詰まりが発生したりして、安定した筆記を行うことができなかった。
【０００４】
一方、下記特許文献１には、インキなどの液体の供給体として使用される金属製液体供給体が開示されている。
この金属製液体供給体は、横断面構造が、液体を毛細管誘導可能な径の相互に独立した微小孔からなる多孔質状であると共に、縦断面構造が、各微小孔が長手方向の一端から他端まで一方向に連続している態様となっている。
【０００５】
筆記具のペン先として、この特許文献１に記載された金属製液体供給体を使用すると、ペン先が金属製であって硬度が高いために、従来のペン先と比較して高い耐久性が得られると考えられる。
しかしながら、この金属製液体供給体は、微小孔が特定の方向に配置された特殊な断面構造を有するものであるため、製造コストが高くなり、筆記具のペン先として使用することは現実的には困難である。
また、使用に伴って微小孔が目詰まりを起こす可能性が高く、長時間に亘って安定した筆記を行うことは困難である。
更に、表面に凹凸を有するために、筆記時の質感が悪く（紙に書くとザラザラ感がある）、紙の繊維を削ってしまうという問題もある。
【０００６】
また、下記特許文献２には、金属製の極細線材を束ねて穂先形状とした筆記具が開示されている。
しかしながら、この特許文献２の開示技術は、直径１００μｍ以下の極細線材を用いているため、使用時にペン先が変形してしまい、コンクリートや石等の表面が硬くて凹凸がある物体に対して安定して筆記することは困難であった。
【０００７】
更に、下記特許文献３には、円形断面をした線材を複数本、細管の内壁に接し、且つ線材も互いに接するように束ね、その束ねた端部を丸くし、更にその線材によって囲まれた中央の間隙にインキ誘導のための中針を軸方向に可動可能に付設したペン先が開示されている。
しかしながら、この特許文献３の開示技術は、中針のみによりインキをペン先に誘導する構造であるため、インキの残量が少なくなると充分な量のインキが誘導されにくくなるという問題があった。
【０００８】
【特許文献１】特開２００１−３１４９５８号公報
【特許文献２】実開平５−２８６８０号公報
【特許文献３】実開平５−２８６８１号公報
【発明の開示】
【発明が解決しようとする課題】
【０００９】
本発明は、上記したような従来技術の問題点を解決すべくなされたものであって、コンクリートや石等の表面が硬くて凹凸がある物体に対して筆記した場合でも、ペン先の磨耗や目詰まりや変形が生じにくく、長時間に亘って安定した質感の良好な筆記を行うことができ、しかも容易に且つ安価に製造することが可能である筆記具用ペン先を提供するものである。
【課題を解決するための手段】
【００１０】
請求項１に係る発明は、複数本の金属製線材が束ねられて筆記圧により変形しない剛性を有しているとともに、前記線材の全てがインキ供給部に挿入されて該線材同士の隙間がインキ供給路として作用することを特徴とする筆記具用ペン先に関する。
【００１１】
請求項２に係る発明は、線材の直径が０．２ｍｍ以上であることを特徴とする請求項１記載の筆記具用ペン先に関する。
【００１２】
請求項３に係る発明は、線材の先端が略半球面状であることを特徴とする請求項１又は２記載の筆記具用ペン先に関する。
【００１３】
請求項４に係る発明は、太さの異なる線材を含んでいることを特徴とする請求項１乃至３いずれかに記載の筆記具用ペン先に関する。
【００１４】
請求項５に係る発明は、線材の外周面に凹部が形成されていることを特徴とする請求項１乃至４いずれかに記載の筆記具用ペン先に関する。
【００１５】
請求項６に係る発明は、前記凹部が、線材の外周方向に沿って延びるように形成されていることを特徴とする請求項５記載の筆記具用ペン先に関する。
【００１６】
請求項７に係る発明は、前記凹部が、線材の長さ方向に沿って延びるように形成されていることを特徴とする請求項５記載の筆記具用ペン先に関する。
【００１７】
請求項８に係る発明は、線材が、長さ方向の先端部分に径小部を有することを特徴とする請求項１乃至４いずれかに記載の筆記具用ペン先に関する。
【００１８】
請求項９に係る発明は、一部又は全部の線材が中空筒状であることを特徴とする請求項１乃至４いずれかに記載の筆記具用ペン先に関する。
【００１９】
請求項１０に係る発明は、隣接する線材同士が外周面の共通接線部分のみにて溶着されていることを特徴とする請求項１乃至９いずれかに記載の筆記具用ペン先に関する。
【００２０】
請求項１１に係る発明は、線材同士が環状部材により束ねられていることを特徴とする請求項１乃至１０いずれかに記載の筆記具用ペン先に関する。
【発明の効果】
【００２１】
請求項１に係る発明によれば、複数本の金属製線材が束ねられて形成されているため、コンクリートや石等の表面が硬くて凹凸がある物体に対して筆記した場合でも磨耗や目詰まりや生じにくく、長時間に亘って安定した筆記を行うことができる。また、製作のために金型等を必要とせず、様々な形状のペン先を容易に且つ安価に製造することが可能である。
また、筆記圧により変形しない剛性を有しているため、筆記時にペン先が曲がることがなく、安定した筆記を行うことができる。
更に、線材の全てがインキ供給部に挿入されて該線材同士の隙間がインキ供給路として作用することにより、インキ残量が少なくなってもインキ供給部からペン先に充分な量のインキを誘導することができる。
【００２２】
請求項２に係る発明によれば、線材の直径が０．２ｍｍ以上であるため、筆記圧により変形しない剛性を得ることができるとともに、線材同士の間に広い隙間を確保することができ、安定したインキ供給を実現することが可能となる。
【００２３】
請求項３に係る発明によれば、線材の先端が略半球面状であることから、ペン先先端が滑らかとなり、筆記時の質感が良好となり、紙の繊維を削ってしまうことがない。
【００２４】
請求項４に係る発明によれば、太さの異なる線材を含んでいることにより、線材同士の間に形成される隙間を調整することができ、インキの供給量を微調整することが可能となる。
【００２５】
請求項５に係る発明によれば、線材の外周面に凹部が形成されていることにより、凹部において線材同士の間に広い隙間を確保することができ、インキの詰まりが生じにくい。
【００２６】
請求項６に係る発明によれば、凹部が線材の外周方向に沿って延びるように形成されていることにより、凹部に一旦インキを溜めることができ、確実にインキを供給することができる。また、線材同士の隙間に異物が詰まった場合、凹部を介してインキを別の線材同士の隙間から詰まった部分の先の隙間に導いたり、或いは詰まった部分を回避して別の線材同士の隙間へと導いたりすることができるため、安定したインキ供給を実現することが可能となる。
【００２７】
請求項７に係る発明によれば、凹部が線材の長さ方向に沿って延びるように形成されていることにより、インキ供給部から凹部に沿ってインキをペン先まで供給することができ、より確実にペン先までインキを供給することが可能となる。
【００２８】
請求項８に係る発明によれば、線材が長さ方向の先端部分に径小部を有することにより、先端部分において線材同士の隙間が大きくなり、この隙間を利用して異物を外部に排出することができ、異物による目詰まりを防ぐことが可能となる。
【００２９】
請求項９に係る発明によれば、一部又は全部の線材が中空筒状であることにより、インキ供給部から線材の内部を通してインキをペン先まで供給することができ、より確実にペン先までインキを供給することが可能となる。
【００３０】
請求項１０に係る発明によれば、隣接する線材同士が外周面の共通接線部分のみにて溶着されていることにより、線材同士の隙間を確保しながら、別部材を使用せずに線材同士を確実に一体化することができる。
【００３１】
請求項１１に係る発明によれば、線材同士が環状部材により束ねられていることにより、線材同士の隙間を確実に確保して、円滑にインキを供給することができる。
【発明を実施するための最良の形態】
【００３２】
以下、本発明に係る筆記具用ペン先の好適な実施形態について、図面を適宜参照しながら説明する。
図１は本発明に係る筆記具用ペン先の実施形態の一例を示す図であって、（ａ）は正面図、（ｂ）は側面図である。
本発明に係る筆記具用ペン先は、複数本の金属製線材（１）が束ねられて構成されており、ペン先の先端部は全体として略半球面状に形成されている。また、束ねられた金属製線材（１）の基端部はインキ供給部（２）に挿入されており、該線材同士の隙間がインキ供給路として作用することができる。
【００３３】
本発明に係る筆記具用ペン先は、筆記圧により変形しない剛性を有している。
このような剛性は、金属製線材（１）の材料、太さ、本数を適当に設定することにより実現することができる。以下、これらの剛性を決定する要素について説明する。
【００３４】
金属製線材（１）の材料としては、機械的強度（曲げ強さ等）及び耐食性の両面で優れているステンレスが好適に使用されるが、これに限定はされず、例えば鉄、銅、アルミニウム等を使用することもできる。
【００３５】
金属製線材（１）としては断面円形のものが使用され、その直径は０．２ｍｍ以上、好ましくは０．３〜１．５ｍｍの範囲に設定される。
直径を０．２ｍｍ以上に設定することにより、筆記圧により変形しない剛性を得ることができるとともに、線材同士の間に広い隙間を確保することができ、安定したインキ供給を実現することが可能となる。
【００３６】
束ねられる金属製線材（１）の本数については、所望のペン先の太さに応じて適宜設定することができるが、例えば３〜２００本の範囲に設定される。
【００３７】
本発明に係る筆記具用ペン先の一例として、金属製線材（１）の材料がステンレスの場合には、例えば直径が０．３〜１．５ｍｍ、本数が３〜２００本の範囲において、直径に応じて本数を決定することができる。つまり、この範囲において、直径が小さい場合には本数を多くし、直径が大きい場合には本数を少なくすることにより、筆記圧によって変形しない剛性を得るようにすればよい。
【００３８】
金属製線材（１）を束ねる方法については特に限定されないが、例えば、溶着や環状部材による結束といった方法を例示することができる。
溶着は、線材同士を加圧接触させた状態で通電して、線材の接触部分のみを溶かすことにより行われる。これによって、隣接する線材同士は外周面の共通接線部分のみにて溶着されるため、線材同士の隙間を確保しながら線材を一体化することができ、結束のための部材を使用する必要がない。
環状部材としては、針金を環状にしたものを使用してもよいし、薄板を環状にしたものを使用してもよい。また、１つ使用してもよいし、間隔をあけて複数個使用してもよい。環状部材を使用した場合、線材同士の隙間が確実に確保されるため、円滑にインキを供給することができる。
【００３９】
インキ供給部（２）は、インキを含浸させたフエルトやスポンジ等のインキ吸収体から形成されている。
インキ供給部（２）には金属製線材（１）が挿入されており、インキ供給部（２）に含浸されたインキは毛細管現象によって金属製線材（１）同士の隙間から吸い上げられてペン先へと供給される。
このとき、金属製線材（１）の全てがインキ供給部（２）に挿入されていることにより、金属製線材（１）同士の全ての隙間がインキ供給路として作用する。そのため、インキ残量が少なくなっても、インキ供給部（２）からペン先に充分な量のインキを誘導することが可能となる。
【００４０】
本発明においては、夫々の金属製線材（１）の先端を略半球面状に形成することができる（図２参照）。
このようにすると、ペン先先端が滑らかとなり、筆記時の質感が良好となり、紙の繊維を削ってしまうことがない。また、筆記具用ペン先の製造工程において、金属製線材（１）を束ねる前工程で夫々の金属製線材（１）の先端を略半球面状に形成しておくことにより、後工程で先端部を滑らかに形成する加工が不要となり、製造コストを低減することが可能となる。
【００４１】
また、本発明においては、複数の金属製線材（１）の太さを全て同じとしてもよいが、太さの異なる線材を含むように構成することもできる（図３参照）。
このように、太さの異なる線材を含んだ構成とすることによって、線材同士の間に形成される隙間を調整することができ、インキの供給量を微調整することが可能となる。
【００４２】
更に、本発明においては、金属製線材（１）の外周面に凹部を形成する構成を採用することもできる。
図４は、凹部（３）を、金属製線材（１）の長さ方向の一部分に、外周方向に沿って環状に延びるように形成した場合を示している。また、この凹部（３）は１本の金属製線材（１）の複数箇所に形成されている。
図５は、凹部（３）を、金属製線材（１）の長さ方向に沿って直線状に延びるように形成した場合を示す図であり、（ａ）は正面図、（ｂ）は側面図である。この凹部（３）は１本の金属製線材（１）の全長に亘って形成されている。尚、図示例では、凹部（３）が２箇所に形成されているが、１箇所でもよく３箇所以上でもよい。
【００４３】
このように金属製線材（１）の外周面に凹部が形成されていることにより、凹部（３）において線材同士の間に広い隙間を確保することができ、インキの詰まりが生じにくくなる。
ここで、図４に示す如く、凹部（３）を金属製線材（１）の外周方向に沿って環状に延びるように形成した場合、凹部に一旦インキを溜めることができ、確実にインキを供給することができる。また、線材同士の隙間に異物（５）が詰まった場合、凹部（３）を介してインキを別の線材同士の隙間から詰まった部分の先の隙間に導いたり（図６（ａ）参照）、或いは詰まった部分を回避して別の線材同士の隙間へと導いたり（図６（ｂ）参照）することが可能となる。そのため、安定したインキ供給を実現することができる。
また、図５に示す如く、凹部（３）を金属製線材（１）の長さ方向に沿って直線状に延びるように形成した場合、インキ供給部（２）から凹部（３）に沿ってインキをペン先まで供給することができる。そのため、確実にペン先までインキを供給することが可能となる。
【００４４】
また、本発明においては、金属製線材（１）の長さ方向の先端部分に径小部（４）を設けることもできる（図７参照）。
このような径小部（４）を設けることにより、先端部分において線材同士の隙間が大きくなり、この隙間を利用して塵や粉等の異物を外部に排出することができる。そのため、異物による目詰まりが生じにくくなり、長期間に亘って安定してインキを供給することが可能となる。
径小部（４）の直径は他の部分の直径に比べて小さく設定されるが、具体的には１０〜３０％小さくなるように設定することが好ましい。直径が小さすぎると充分な剛性が得られなくなり、逆に大きすぎると異物の排出効果が充分に得られないためである。
【００４５】
本発明において用いられる金属製線材（１）は、中実体から形成することもできるし、中空体（中空筒状体）から形成することもできる。
金属製線材（１）を中空筒状とする場合、全ての金属製線材（１）を中空筒状としてもよいし（図８参照）、一部の金属製線材（１）のみを中空筒状としてもよい（図９参照）。
このように、一部又は全部の金属製線材（１）を中空筒状に形成することにより、金属製線材間の隙間に加えて、金属製線材（１）の内部もインキ供給路として作用させることができるようになり、より確実にペン先までインキを供給することが可能となる。
【００４６】
また、一部の金属製線材（１）を中空筒状に形成する構成を採用する場合、当該構成を太さの異なる線材を含む構成と組み合わせて採用することもできる。
具体的には、太い線材は中空筒状とし、細い線材は中実とする構成を採用することができる。この構成によれば、中空筒状の線材の肉厚を厚くしてもインキの流通が阻害されにくいため、ペン先の剛性を大きく低下させることなく、インキの流通性を向上させることが可能となる。
【００４７】
本発明に係る筆記具用ペン先は、複数本の金属製線材（１）を束ねて形成されているため、線材の長さや束ね方等を変化させることにより、様々なペン先形状のものを製作することができる。
例えば、図１０に示すように、複数本の金属製線材（１）を断面四角形状となるように束ねることにより、断面四角形状のペン先を製作することができる。また、図１１に示すように、複数本の金属製線材（１）の長さを異ならせることにより、先端が傾斜したペン先を製作することができる。
【産業上の利用可能性】
【００４８】
本発明は、コンクリートや石等の表面が硬くて凹凸がある物体に対して筆記するための筆記具用ペン先として好適に利用される。
【図面の簡単な説明】
【００４９】
【図１】本発明に係る筆記具用ペン先の実施形態の一例を示す図であって、（ａ）は正面図、（ｂ）は側面図である。
【図２】夫々の金属製線材の先端を略半球面状に形成した例を示す図である。
【図３】太さの異なる線材を含むように構成した例を示す図である。
【図４】凹部を、金属製線材の長さ方向の一部分に、外周方向に沿って環状に延びるように形成した場合を示している。
【図５】凹部を、金属製線材の長さ方向に沿って直線状に延びるように形成した場合を示しており、（ａ）は正面図、（ｂ）は側面図である。
【図６】図４に示した例の作用を説明する図である。
【図７】金属製線材の長さ方向の先端部分に径小部を設けた例を示す図である。
【図８】全ての金属製線材を中空筒状とした例を示す図である。
【図９】一部の金属製線材を中空筒状とした例を示す図である。
【図１０】複数本の金属製線材を断面四角形状となるように束ねた例を示す図である。
【図１１】複数本の金属製線材の長さを異ならせた例を示す図である。
【符号の説明】
【００５０】
１      金属製線材
２      インキ供給部
３      凹部
４      径小部
【図１】
2008273069.tif 000003
【図２】
2008273069.tif 000004
【図３】
2008273069.tif 000005
【図４】
2008273069.tif 000006
【図５】
2008273069.tif 000007
【図６】
2008273069.tif 000008
【図７】
2008273069.tif 000009
【図８】
2008273069.tif 000010
【図９】
2008273069.tif 000011
【図１０】
2008273069.tif 000012
【図１１】
2008273069.tif 000013